(57)【要約】【課題】  電源がオフであり、サーボ制御がかかっていない状態でも光ディスクと対物レンズとが決して接触せず、強い外乱を受けた場合でも対物レンズと光ディスクとの衝突を防止する。【解決手段】  カートリッジ２は、対物レンズ４が光ディスク１に接近するための開口部と、開口部のカートリッジ外縁接続部近傍に設けたリブ２ｂとを有し、リブ２ｂの対物レンズ４側の面は光ディスク１の入射面と略同一の平面上にあり、光ディスク装置１００が電源オフ状態である時、対物レンズ４と保護リング５とが光ディスク装置１００にカートリッジ２を装填したときにおけるリブ２ｂの対物レンズ４側の面と対向する位置Ｐ２に配置されるようにトラバース機構２２を動作させる。【選択図】      図３
2004327010.tif 000002
【特許請求の範囲】
【請求項１】
光ディスクにレーザ光を収斂照射する対物レンズと、前記対物レンズよりも前記光ディスク側に突出し、前記対物レンズを保護するために前記対物レンズの光学有効域外に設けた保護部材と、前記対物レンズおよび前記保護部材を移動させるトラバース機構とを少なくとも有する光ディスク装置であって、
前記光ディスクの外周より外側に設けられ、かつ前記対物レンズ側の面が前記光ディスクの入射面と略同一の平面上にあるリブを備え、
前記トラバース機構は、光ディスク装置が電源オフ状態である時、前記対物レンズと前記保護部材とを前記リブの前記対物レンズ側の面と対向する位置に移動させることを特徴とする光ディスク装置。
【請求項２】
前記光ディスクはカートリッジに内蔵されており、
前記リブは、前記対物レンズが前記光ディスクに接近するための開口部の外縁接続部近傍に設けられることを特徴とする請求項１記載の光ディスク装置。
【請求項３】
前記リブは、光ディスク装置の本体に設けられることを特徴とする請求項１記載の光ディスク装置。
【請求項４】
前記トラバース機構は、電源オフ要求が有った後、電源オフ状態に至る前に、対物レンズをリブに対向する位置に移動させることを特徴とする請求項１〜３のいずれかに記載の光ディスク装置。
【請求項５】
前記対物レンズが前記光ディスクを超えて前記リブに対向する位置に至る前に、前記対物レンズを前記光ディスクから離間する方向に移動させるフォーカシング機構をさらに備えることを特徴とする請求項１〜４のいずれかに記載の光ディスク装置。
【請求項６】
電源オフ状態から電源オン要求が有った後、前記対物レンズを前記リブに対向する位置から前記光ディスクの半径方向に移動させる前に前記対物レンズを前記光ディスクから離間する方向に移動させるフォーカシング機構をさらに備えることを特徴とする請求項１〜４のいずれかに記載の光ディスク装置。
【請求項７】
前記トラバース機構は、前記対物レンズを含む光学系を前記光ディスクに対し略半径方向に移動させ、
少なくとも電源オン要求信号と電源オフ要求信号とを入力とし、電源をオフにする電源オフ信号と、前記対物レンズを前記光ディスクから離間させる対物レンズ退避信号と、前記トラバース機構を制御するトラバース制御信号とを出力とする制御部をさらに備え、
前記制御部は、光ディスク装置が電源オンの状態で前記電源オフ要求信号を受け取った時に、前記対物レンズ退避信号をオンにして前記対物レンズを前記光ディスクから離間させ、その後前記対物レンズを前記光ディスクの外周側一杯に移動させる前記トラバース制御信号を前記トラバース機構に出力し、前記対物レンズを前記リブに対向する位置に配置させてから前記対物レンズ退避信号をオフにし、前記電源オフ信号を発生させて光ディスク装置の電源をオフにし、
光ディスク装置が電源オフ状態で電源オン要求信号を受け取った時に、前記対物レンズ退避信号をオンにして前記対物レンズを前記リブから離間させ、その後前記対物レンズを前記光ディスクの内周向きに移動させる前記トラバース制御信号を前記トラバース機構に出力し、前記対物レンズを前記光ディスクの内周向きに移動させてから前記対物レンズ退避信号をオフにすることを特徴とする請求項１記載の光ディスク装置。
【請求項８】
前記制御部は、少なくとも情報を記録中であるか否かを示す動作状態信号を入力の一つとし、前記動作状態信号が情報記録状態を示している間に電源オフ要求信号を受け取った際には、前記動作状態信号が情報記録状態以外に変化するまで待ってから対物レンズ退避信号をオンにすることを特徴とする請求項７記載の光ディスク装置。
【請求項９】
前記対物レンズと前記保護部材とは一体に形成されることを特徴とする請求項１〜８のいずれかに記載の光ディスク装置。
【発明の詳細な説明】
【技術分野】
【０００１】
本発明は、装置の電源停止状態において、光ディスクと対物レンズとの衝突による相互の損傷を防止する光ディスク装置に関するものである。
【背景技術】
【０００２】
近年の光ディスクの高密度化要求に伴い、記録再生に使用される光ヘッドはレーザ光の短波長化と対物レンズの高ＮＡ（開口数）化とが図られて来た。しかしＮＡが大きい対物レンズ系は、一般に光ディスクに接近することとなり、いわゆる作動距離（ワーキングディスタンス、以下ＷＤと略記する）が小さい構成となる。更に装置全体の小型化のため対物レンズ入射光束径は小さくなる方向であり、その結果、ＷＤはますます小さくなる方向に有る。ＷＤの値は０．１ｍｍ前後に達しているものもある。
【０００３】
こういった小ＷＤにおいて課題となるのは、根本的に対物レンズと光ディスクとの衝突が避けられない事である。即ち、ＷＤが光ディスクの通常面振れの大きさ以下であり、サーボ制御がかかっていない状態では光ディスクが回転するだけで対物レンズと光ディスクとの接触が短時間に多数回起こる。従って、瞬時に大きな傷や打痕の発生の可能性が有る。その結果、光学特性が低下することとなり、記録再生上の不具合が生じるという問題が起こりうる。
【０００４】
このような問題に対しては、例えば、特許文献１に対策例が示されている。この例では対物レンズ外周部に記録媒体（光ディスク）側に向けた突起を一体的に形成し、対物レンズを保護するものである。また、例えば、特許文献２にも同様の例が開示されている。
【０００５】
これらの要旨としては、対物レンズ近傍に対物レンズよりも突出した部分を設けて光ディスクと対物レンズとの直接的な衝突を避けるという点である。
【０００６】
図１０にその要部を示す。図１０は、従来の光ディスク及び対物レンズの配置例を示す図である。図１０において、１は光ディスク、４は対物レンズである。対物レンズ４の周囲には、円環状の保護リング５が設けられており、保護リング５の先端部は対物レンズ４の頂部より高く形成されている。即ち、対物レンズ４が保護リング５より突出することのないように形成されている。
【０００７】
この構成によって、対物レンズ４は光ディスク１と直接的に接触することはない。従って、対物レンズ４は損傷することはない。また、保護リング５の材料や表面処理を適切に選択すれば、光ディスク１を損傷する可能性を減少させることができる。
【特許文献１】特開平９−６３０９５号公報
【特許文献２】特開平６−３０２００１号公報
【発明の開示】
【発明が解決しようとする課題】
【０００８】
しかしながら、上記従来の光ディスク装置では、以下のような課題を有していた。即ち、電源が入っている場合はサーボ制御により衝突を避けることができるが、電源がオフの状態で、光ディスクが装置内に挿入されたままであると、サーボ制御が行われないため保護リング５が光ディスク１に接触したままになることがあり得る。
【０００９】
例えば、対物レンズアクチュエータのフォーカシング機構は通常重力に対しバランスをとっていない。そのため、光ディスク装置がポータブル機器の場合は図１１のように裏返しになるだけで対物レンズ４が自重で重力方向Ｇの向きに変位し、保護リング５が光ディスク１に接触し得る。このまま長期保存状態になり、結露等が発生すると、光ディスク１には、不純物等による結露跡の汚れが残る可能性がある。
【００１０】
更に、特にポータブルの光ディスク装置において、同じくディスクが挿入された状態で電源がオフにされると、外乱に対し対物レンズ４が対抗する手段を失い、対物レンズ４が自由に振動し、保護リング５がディスク１に多数回衝突する。
【００１１】
ポータブル機器はメディア搭載状態で電源をオフにし、振動を伴う輸送を行うことは通常使用の範囲であり、この場合は対物レンズアクチュエータ等の固有共振周波数にもよるが数十回／秒、１時間輸送すると数十万回の衝突が光ディスクの同一箇所で発生し得る。従って、それによる光ディスクの損傷も無視し得ないものと成り得る。
【００１２】
こういった従来の衝突対策による結露跡や電源オフ振動衝突状態の傷による光ディスクの光学的特性の劣化は従来大きな問題となっていた。
【００１３】
本発明は、上記の問題を解決するためになされたもので、電源がオフであり、サーボ制御がかかっていない状態でも光ディスクと対物レンズとが決して接触せず、強い外乱を受けた場合でも光ディスクと対物レンズとの衝突を防止することができる光ディスク装置を提供することを目的とするものである。
【課題を解決するための手段】
【００１４】
本発明に係る光ディスク装置は、光ディスクにレーザ光を収斂照射する対物レンズと、対物レンズよりも光ディスク側に突出し、対物レンズを保護するために対物レンズの光学有効域外に設けた保護部材と、対物レンズおよび保護部材を移動させるトラバース機構とを少なくとも有する光ディスク装置であって、光ディスクの外周より外側に設けられ、かつ対物レンズ側の面が前記光ディスクの入射面と略同一の平面上にあるリブを備え、トラバース機構は、光ディスク装置が電源オフ状態である時、対物レンズと保護部材とをリブの対物レンズ側の面と対向する位置に移動させるものである。
【００１５】
この構成によれば、電源がオフであり、サーボ制御がかかっていない状態でも光ディスクと対物レンズとが決して接触せず、強い外乱を受けた場合でも光ディスクが傷つくことがないという、低コストで簡単かつ容易に記録データの長期信頼性が向上する優れた光ディスク装置を提供できる。また、電源がオフの状態であり、かつ光ディスクが装置内に挿入されたままであっても光ディスクと保護部材とが接触しないので、従来のように光ディスクと保護部材とが長期間接触することによって発生する光ディスクの汚損を防止することができる。
【００１６】
また、上記の光ディスク装置において、光ディスクはカートリッジに内蔵されており、リブは、対物レンズが光ディスクに接近するための開口部の外縁接続部近傍に設けられることが好ましい。
【００１７】
この構成によれば、光ディスクが内蔵されるカートリッジの開口部の外縁接続部近傍をリブとして利用することによって、特別にリブを設ける必要がなく、リブを設けるための工数を削減することができる。
【００１８】
また、上記の光ディスク装置において、リブは、光ディスク装置の本体に設けられることが好ましい。この構成によれば、光ディスクがカートリッジに内蔵されておらず、電源がオフであり、サーボ制御がかかっていない状態でも光ディスク１と対物レンズ４とが決して接触せず、強い外乱を受けた場合でも光ディスク１が傷つくことがないという、低コストで簡単かつ容易に記録データの長期信頼性が向上する優れた光ディスク装置１０２を提供できる。
【００１９】
また、上記の光ディスク装置において、トラバース機構は、電源オフ要求が有った後、電源オフ状態に至る前に、対物レンズをリブに対向する位置に移動させることが好ましい。この構成によれば、サーボ制御がかかっていない状態になる前に対物レンズをリブの下に配置させることができ、対物レンズと光ディスクとを確実に保護することができる。
【００２０】
また、上記の光ディスク装置において、対物レンズが光ディスクを超えてリブに対向する位置に至る前に、対物レンズを光ディスクから離間する方向に移動させるフォーカシング機構をさらに備えることが好ましい。この構成によれば、対物レンズの側面とリブの側面とが衝突するのを避けることができ、対物レンズを駆動するアクチュエータ等の損傷を確実に回避することができる。
【００２１】
また、上記の光ディスク装置において、電源オフ状態から電源オン要求が有った後、対物レンズをリブに対向する位置から光ディスクの半径方向に移動させる前に対物レンズを光ディスクから離間する方向に移動させるフォーカシング機構をさらに備えることが好ましい。
【００２２】
この構成によれば、対物レンズとリブとの摺動や、対物レンズの側面と光ディスクの側面とが衝突するのを避けることができ、対物レンズを駆動するアクチュエータ等の損傷を確実に回避することができる。
【００２３】
また、上記の光ディスク装置において、トラバース機構は、対物レンズを含む光学系を光ディスクに対し略半径方向に移動させ、少なくとも電源オン要求信号と電源オフ要求信号とを入力とし、電源をオフにする電源オフ信号と、対物レンズを光ディスクから離間させる対物レンズ退避信号と、トラバース機構を制御するトラバース制御信号とを出力とする制御部をさらに備え、制御部は、光ディスク装置が電源オンの状態で電源オフ要求信号を受け取った時に、対物レンズ退避信号をオンにして対物レンズを光ディスクから離間させ、その後対物レンズを光ディスクの外周側一杯に移動させるトラバース制御信号をトラバース機構に出力し、対物レンズをリブに対向する位置に配置させてから対物レンズ退避信号をオフにし、電源オフ信号を発生させて光ディスク装置の電源をオフにし、光ディスク装置が電源オフ状態で電源オン要求信号を受け取った時に、対物レンズ退避信号をオンにして対物レンズをリブから離間させ、その後対物レンズを光ディスクの内周向きに移動させるトラバース制御信号をトラバース機構に出力し、対物レンズを光ディスクの内周向きに移動させてから対物レンズ退避信号をオフにすることが好ましい。
【００２４】
この構成によれば、トラバース機構の移動前後を通じて制御部が、光ディスク装置の電源状態に応じて対物レンズを光ディスク又はリブから退避させる退避信号を制御するようになり、いかなる状態からも安全かつ自動的に対物レンズと光ディスクとを保護することができる。
【００２５】
また、上記の光ディスク装置において、制御部は、少なくとも情報を記録中であるか否かを示す動作状態信号を入力の一つとし、動作状態信号が情報記録状態を示している間に電源オフ要求信号を受け取った際には、動作状態信号が情報記録状態以外に変化するまで待ってから対物レンズ退避信号をオンにすることが好ましい。この構成によれば、情報が確実に記録されてから対物レンズの退避が行われるので、利用者の利便性を向上させることができると共に情報の信頼性を向上させることができる。
【００２６】
また、上記の光ディスク装置において、対物レンズと保護部材とは一体に形成されることが好ましい。この構成によれば、対物レンズと保護部材とが一体に形成されるので、対物レンズと保護部材とを一回の成形で作成することができ、作成工数を削減することができる。また、対物レンズと保護部材とが一体に形成されるので、対物レンズから保護部材が脱落することを防止することができる。
【発明の効果】
【００２７】
本発明によれば、電源がオフであり、サーボ制御がかかっていない状態でも光ディスクと対物レンズとが決して接触せず、強い外乱を受けた場合でも光ディスクが傷つくことがないという、低コストで簡単かつ容易に記録データの長期信頼性が向上する優れた光ディスク装置を提供できる。また、電源がオフの状態であり、かつ光ディスクが装置内に挿入されたままであっても光ディスクと保護部材とが接触しないので、従来のように光ディスクと保護部材とが長期間接触することによって発生する光ディスクの汚損を防止することができる。
【発明を実施するための最良の形態】
【００２８】
以下に、本発明の実施の形態について、図を用いて説明する。
【００２９】
（実施の形態１）
図１〜図３は本発明の実施の形態における光ディスク装置を示すものである。
【００３０】
図１は、光ディスクを内蔵するカートリッジの一例を示す図であり、図１（ａ）は、図１（ｂ）に示すカートリッジのＡ−Ａ線断面図であり、図１（ｂ）は、図１（ａ）に示すカートリッジを下方から見た図である。図１（ａ）及び図１（ｂ）において、１は光ディスクで従来の技術と同様である。２は光ディスク１を内蔵するカートリッジである。カートリッジ２には対物レンズを含む光ヘッドが光ディスク１にアクセスするための開口部２ａが設けられており、その外周側端部にはリブ２ｂが存在する。図１（ａ）に示すように、リブ２ｂにおける対物レンズ４側の面は動作中における光ディスク１の対物レンズアクセス側の面１ｂ（光の入射面）と略同一平面上となるように設定されている。
【００３１】
図２は、図１（ａ）に示すカートリッジ２のリブ２ｂの端部から光ディスク１の中心方向を見た図である。対物レンズ４と、対物レンズ４の側方に設けられ、その上面が対物レンズよりも上方に位置する保護リング（保護部材）５とは従来の技術と同じものである。対物レンズ４は、光ディスク１にレーザ光を収斂照射する。保護リング５は、対物レンズ４の光学有効域外に設けられ、対物レンズ４よりも光ディスク１側に突出しており、対物レンズ４を保護する。保護リング５の対物レンズ４よりも光ディスク１側に突出した部分は、対物レンズ４の外周に沿って同心円形状の環状に形成される。保護リング５は好ましくは摺動性の樹脂材料等で形成される。
【００３２】
なお、保護リング５の対物レンズ４よりも光ディスク１側に突出した部分の形状は、上記に限定されず、例えば、対物レンズ４の外周に沿って複数の半球状の凸部を対物レンズ４よりも光ディスク１側に突出させた形状であってもよく、対物レンズ４の光学有効域外に設けられ、対物レンズ４よりも光ディスク１側に突出しており、対物レンズ４を保護することが可能な形状であればよい。
【００３３】
３は光ヘッドであって、対物レンズ４を搭載している。対物レンズ４の近傍には、対物レンズ４を光ディスク１の面垂直方向及び半径方向に微少駆動して光ディスク１の面振れや偏芯に追従させフォーカシング動作及びトラッキング動作を行わせる対物レンズアクチュエータ部（フォーカシング機構）３ａが配置されている。
【００３４】
対物レンズ４、保護リング５及び対物レンズアクチュエータ部３ａは図示のように開口部２ａにはまり込むような大きさとすることで、光ヘッド３のスペースファクタを改善している。
【００３５】
こういった特徴を有するカートリッジ２は、ローディング時のカートリッジ上下を不要とする構成の一手段として、例えば特開平５−１８９９１７号公報に示されており、特に一般性や実用性を損ねるものではない。
【００３６】
図３は、本発明の実施の形態１における光ディスク装置の構成を示す図である。図３に示す実施の形態１における光ディスク装置１００は、対物レンズ４、保護リング５、制御部９、トラバース駆動回路２１及びトラバース機構２２を備えて構成される。
【００３７】
対物レンズ４は、トラバース機構２２により光ディスク１の外周側を超えてアクセス可能になっており、図示のリブ２ｂの対向位置である位置Ｐ２まで移動が可能である。
【００３８】
トラバース機構２２は、既知のねじ送り機構により光ヘッド３を光ディスク１の半径方向に移動させ、所望のトラックにアクセス可能にする機構であって、少なくとも対物レンズ４がリブ２ｂの下に来るまで、即ち図示の位置Ｐ２まで光ヘッド３を外周方向に移動させることができる。トラバース機構２２は、トラバースモータ２２ａと送りねじ２２ｂとを備えて構成される。トラバースモータ２２ａは、トラバース機構２２に搭載されて送りねじ２２ｂを回転させる。トラバース駆動回路２１はトラバースモータ２２ａを駆動する。
【００３９】
制御部９は、電源オン要求信号１１及び電源オフ要求信号１２を入力とし、電源オフ信号１６及びトラバース制御信号１８を出力とする。
【００４０】
電源オン要求信号１１は、利用者のスイッチ入力、又はプログラムタイマーからの入力等があり得る。電源オフ要求信号１２は利用者のスイッチ入力に加え、やはりタイマーや省電力のためのコントローラからの入力があり得る。
【００４１】
電源オフ信号１６は、電源断の回路（例えば電源制御ＩＣ）等に出力される。この電源オフ信号１６がオンになると光ディスク装置１００は少なくとも待機電力等を別にしてシャットダウンする。トラバース制御信号１８は、トラバース駆動回路２１に出力される。このトラバース制御信号１８が出力されることによって、トラバース駆動回路２１は、対物レンズ４を含む光ヘッド３を光ディスク半径方向の目標位置に移動させる。トラバース駆動回路２１は、トラバース制御信号１８に応じてトラバースモータ２２ａに内周向き移動、外周向き移動、停止等の駆動電流を流す。
【００４２】
以上のように構成された実施の形態１の光ディスク装置１００について、以下その動作を説明する。
【００４３】
まず、電源オン状態で、光ヘッド３が位置Ｐ１にある場合の光ディスク装置１００の動作について説明する。電源オフ要求信号１２がアクティブになると、制御部９は、トラバース制御信号１８に光ヘッド３を外周側、例えば位置Ｐ２まで送る信号を発生させる。トラバース制御信号１８に応じてトラバース駆動回路２１はトラバースモータ２２ａに光ヘッド３を位置Ｐ２まで移動させる駆動電流を流し、トラバースモータ２２ａは送りねじ２２ｂを回転させて光ヘッド３を位置Ｐ２まで移動させる。この後、制御部９はこの状態で電源オフ信号１６をオンにして、光ディスク装置１００全体をシャットダウンする。
【００４４】
次に、電源オフ状態で、光ヘッド３がリブ２ｂに対向する位置Ｐ２にある場合の光ディスク装置１００の動作について説明する。電源オン要求信号１１がアクティブになると、制御部９は、トラバース制御信号１８に光ヘッド３を内周側、例えば位置Ｐ１まで送る信号を発生させる。トラバース制御信号１８に応じてトラバース駆動回路２１はトラバースモータ２２ａに光ヘッド３を位置Ｐ１まで移動させる駆動電流を流し、トラバースモータ２２ａは送りねじ２２ｂを回転させて光ヘッド３を位置Ｐ１まで移動させる。
【００４５】
そして、制御部９は、対物レンズ４をフォーカス、トラッキング動作可能な状態にする。その後、電源オフ状態になる直前の動作に応じて、例えばＴＯＣ（Table Of Contents）の読み出しや再生待機状態等の動作が行われる。
【００４６】
このように、光ディスク１からの情報再生中においては、対物レンズ４は例えば光ディスク１の下方であって通常のアクセスが可能なＰ１の位置に有り、従来の技術と同様に、サーボ制御がはずれる等の異常事態においては保護リング５の効果により光ディスク１と対物レンズ４との衝突を回避することができる。
【００４７】
更に、本実施の形態では、電源オフの状態においては対物レンズ４を位置Ｐ２に移動させておく事ができる。この状態において、保護リング５の効果により対物レンズ４が光ディスク１と衝突しないのは無論、保護リング５も光ディスク１と衝突せず、リブ２ｂに衝突するだけである。従って、電源がオフであり、サーボ制御が切れている状態でも、いかなる外乱に関わらず、光ディスク１を損傷させるものがない状態を実現することができる。
【００４８】
また、光ディスク装置１００は、光ディスク１にレーザ光を収斂照射する対物レンズ４と、対物レンズ４よりも光ディスク１側に突出し、対物レンズ４を保護するために対物レンズ４の光学有効域外に設けた保護リング５と、対物レンズ４および保護リング５を移動させるトラバース機構とを少なくとも有し、光ディスク１の外周より外側に設けられ、かつ対物レンズ４側の面が光ディスク１の入射面と略同一の平面上にあるリブ２ｂを備える。そして、トラバース機構は、光ディスク装置が電源オフ状態である時、対物レンズ４と保護リング５とをリブ２ｂの対物レンズ４側の面と対向する位置に移動させる。したがって、電源がオフの状態であり、かつ光ディスク１が装置内に挿入されたままであっても光ディスク１と保護リング５とが接触しないので、従来のように光ディスク１と保護リング５とが長期間接触することによって発生する光ディスク１の汚損を防止することができる。
【００４９】
図４は、図３に示す光ディスク装置が適用されるポータブルのムービー装置の一例を示す図であり、図４（ａ）は、ムービー装置の側面図であり、図４（ｂ）は、ムービー装置の正面図である。図５は、図４に示すムービー装置が傾倒されて放置された状態を示す図であり、図５（ａ）は、光ヘッドが光ディスクよりも下方にある状態を示す図であり、図５（ｂ）は、光ヘッドが光ディスクよりも上方にある状態を示す図である。なお、図４（ｂ）、図５（ａ）及び図５（ｂ）に示す矢印は、重力Ｇが作用する方向を示している。
【００５０】
図４（ａ）及び図４（ｂ）に示すムービー装置２００は、主にレンズ３１、光学部３２及びドライブ部３３から構成され、ドライブ部３３に光ディスク１、カートリッジ２及び光ヘッド３が搭載される。装置の小型及び薄型化の要求を受け、通常ドライブ部３３はカートリッジ２と同様の形状に近い直方体形状を有する。
【００５１】
例えば、ポータブルのムービー装置２００の場合、ドライブ部３３がカートリッジ２と同様に薄型形状に設計される点は上述の通りである。この場合、例えば図４（ｂ）に示すように、重力Ｇが作用する方向と光ディスク１の半径方向とが平行となる状態に保存、放置することは希であって、この状態で保存するとムービー装置２００は倒れやすく不安定となる。したがって、普通は図５（ａ）又は図５（ｂ）に示すように、いわゆる側面を下にして保存、放置される。この時、図５（ｂ）に示す状態では光ヘッド３が光ディスク１より上に位置するため対物レンズ４は重力Ｇの方向に変位する。即ち、通常保存時は、５０％の確率で対物レンズ４が光ディスク１の方向に変位した状態になる。しかしながら、本実施の形態では保護リング５はリブ２ｂに接触するだけであるので、図１１を用いて説明した従来例のように光ディスク１に保護リング５が接触したまま放置される事態を避けることができる。
【００５２】
なお、本実施の形態では、ムービー装置を光ディスク装置が適用される例として説明しているが、本発明は特にこれに限定されず、ＣＤやＤＶＤなどの光ディスクを再生する他の電気機器であってもよく、特に、携帯性を有する電気機器に適用可能である。
【００５３】
また、光ディスク１はカートリッジ２に内蔵されており、リブ２ｂは、対物レンズ４が光ディスク１に接近するための開口部２ａの外縁接続部近傍に設けられているので、光ディスク１が内蔵されるカートリッジ２の開口部２ａの外縁接続部近傍をリブ２ｂとして利用することによって、特別にリブ２ｂを設ける必要がなく、リブ２ｂを設けるための工数を削減することができる。
【００５４】
なお、電源オフ状態で光ディスク１（カートリッジ２）がなく、対物レンズ４がＰ２に位置していても、リブ２ｂとの干渉がなくなるだけであって特に何の問題もない。
【００５５】
（実施の形態２）
次に、実施の形態２について説明する。実施の形態１では、例えば電源オフの要求があってから実際に電源がオフされるまでに対物レンズを例えば位置Ｐ１から位置Ｐ２まで移動させる必要があるが、その際ＷＤが極端に狭いシステムでは、対物レンズ４の移動に伴いリブ２ｂと保護リング５との側方が衝突する可能性がある。本実施の形態を適用するとその課題を回避することが可能である。
【００５６】
図６は本発明の実施の形態２における光ディスク装置の構成を示す図である。図６に示す実施の形態２における光ディスク装置１０１は、対物レンズ４、保護リング５、制御部９、フォーカス駆動回路２０、トラバース駆動回路２１及びトラバース機構２２を備えて構成される。
【００５７】
なお、以下の説明に用いる光ディスク１、カートリッジ２、光ヘッド３、対物レンズアクチュエータ部３ａ、対物レンズ４、保護リング５、トラバース駆動回路２１及びトラバース機構２２等は実施の形態１と同じものであるので説明を省略する。
【００５８】
フォーカス駆動回路２０は、対物レンズ４をフォーカス方向（光ディスク面に対して垂直な方向）に駆動するための電流を対物レンズアクチュエータ部３ａに流す。
【００５９】
制御部９は、電源オン要求信号１１、電源オフ要求信号１２及び動作状態信号１３を入力とし、電源オフ信号１６、対物レンズ退避信号１７及びトラバース制御信号１８を出力とする。
【００６０】
電源オン要求信号１１は利用者のスイッチ入力、又はプログラムタイマーからの入力等があり得る。電源オフ要求信号１２は利用者のスイッチ入力に加え、やはりタイマーや省電力のためのコントローラからの入力があり得る。動作状態信号１３は、光ディスク装置１０１が現在待機中であるか、再生中であるか、記録中であるか等の動作状態を表す状態信号である。
【００６１】
電源オフ信号１６は、電源断の回路（例えば電源制御ＩＣ）等に出力される。この電源オフ信号１６がオンになると光ディスク装置１０１は少なくとも待機電力等を別にしてシャットダウンする。
【００６２】
対物レンズ退避信号１７は、フォーカス駆動回路２０に出力される。対物レンズ退避信号１７がオンになるとフォーカス駆動回路２０が対物レンズアクチュエータ部３ａを駆動して対物レンズ４を光ディスク１から遠ざけることができる。
【００６３】
トラバース制御信号１８は、トラバース駆動回路２１に出力される。このトラバース制御信号１８が出力されることによって、トラバース駆動回路２１は、対物レンズ４を含む光ヘッド３を光ディスク半径方向の目標位置に移動させる。
【００６４】
なお、電源オフ信号１６及び対物レンズ退避信号１７は、動作状態信号１３が記録状態を示している時はオンになれないものとする。
【００６５】
以上のように構成された光ディスク装置１０１について、図６〜図７に基づき以下その動作を説明する。図７は、図６に示す光ディスク装置の動作について説明するためのフローチャートであり、図７（ａ）は、電源オン要求があった場合における光ディスク装置の動作について説明するためのフローチャートであり、図７（ｂ）は、電源オフ要求があった場合における光ディスク装置の動作について説明するためのフローチャートである。
【００６６】
まず電源オフ状態で、対物レンズ４はリブ２ｂに対向する位置Ｐ２にあるとする。図７（ａ）において、電源オン要求信号１１がアクティブになると、制御部９は対物レンズ退避信号１７をオンにする（ステップＳ１）。対物レンズ退避信号１７に応じてフォーカス駆動回路２０は対物レンズアクチュエータ部３ａに対物レンズ４が光ディスク１から遠ざかる向きの電流を流し、位置Ｐ２にある対物レンズ４をリブ２ｂから遠ざける。そして、制御部９は、トラバース制御信号１８に光ヘッド３を内周側、例えば位置Ｐ１まで送る信号を発生させる。トラバース制御信号１８に応じてトラバース駆動回路２１はトラバースモータ２２ａに光ヘッド３を位置Ｐ１まで移動させる駆動電流を流し、トラバースモータ２２ａは送りねじ２２ｂを回転させて光ヘッド３を位置Ｐ１まで移動させる（ステップＳ２）。
【００６７】
その後、制御部９は、対物レンズ退避信号１７をオフにしてフォーカス駆動回路２０に出力する（ステップＳ３）。フォーカス駆動回路２０は、対物レンズ４を光ディスク１から退避させる電流の発生を停止し、対物レンズ４をフォーカス、トラッキング動作可能にする。その後、電源オフ状態になる直前の動作に応じて、例えばＴＯＣの読み出しや再生待機状態等の動作が行われる（ステップＳ４）。
【００６８】
このように、対物レンズ４をまずリブ２ｂから離間させるため、電源オン前にリブ２ｂと保護リング５が接触していたとしても、リブ２ｂと保護リング５とが摩擦しあう事はなく、また保護リング５が光ディスク１の外周に衝突することもない。
【００６９】
また、対物レンズアクチュエータ部３ａは、電源オフ状態から電源オン要求が有った後、対物レンズ４をリブ２ｂに対向する位置から光ディスク１の半径方向に移動させる前に対物レンズ４を光ディスク１から離間する方向に移動させるので、対物レンズ４とリブ２ｂとの摺動や、対物レンズ４の側面と光ディスク１の側面とが衝突するのを避けることができ、対物レンズ４を駆動する対物レンズアクチュエータ部３ａ等の損傷を確実に回避することができる。
【００７０】
次に、電源オン状態で、光ヘッド３が位置Ｐ１にある場合の光ディスク装置１０１の動作について説明する。図７（ｂ）において、電源オフ要求信号１２がアクティブになると、制御部９は動作状態信号１３をもとに記録動作を検出し、記録動作が完了しているか否かを判断する（ステップＳ１１）。制御部９は、記録動作が完了している場合にのみ対物レンズ退避信号１７をオンにしてフォーカス駆動回路２０を先の説明と同様に制御して例えば位置Ｐ１にある対物レンズ４を光ディスク１から離間させる（ステップＳ１２）。その後、制御部９はトラバース制御信号１８により、やはり先の説明と同様にトラバース駆動回路２１及びトラバース機構２２を制御して光ヘッド３を位置Ｐ２まで送るように指示する（ステップＳ１３）。
【００７１】
動作状態信号１３を確認する理由は、光ディスク１への記録動作が行われている時に電源オフの要求があった場合には、まず記録動作を完了させる必要があるためである。一般的な光ディスクの記録動作においては、外部からの入力データと光ディスク１への書き込みデータとの間にはタイムラグが存在する。これは、外部からの入力データが一旦バッファに蓄積されて記録された後、光ディスクに書き込まれるためである。更に書き込み終了時に光ディスク１のＴＯＣ領域に管理情報を記録する場合も有る。そこで、本実施の形態では、こういった一連の終了前動作を経た後、対物レンズ４を光ディスク１から離間させ、位置Ｐ２まで移動させる。
【００７２】
このように、制御部９は、少なくとも情報を記録中であるか否かを示す動作状態信号１３を入力の一つとし、動作状態信号１３が情報記録状態を示している間に電源オフ要求信号１２を受け取った際には、動作状態信号１３が情報記録状態以外に変化するまで待ってから対物レンズ退避信号１７をオンにする。したがって、情報が確実に記録されてから対物レンズ４の退避が行われるので、利用者の利便性を向上させることができると共に情報の信頼性を向上させることができる。
【００７３】
そして、制御部９は、位置Ｐ２において対物レンズ退避信号１７をオフにする（ステップＳ１４）。この結果、保護リング５がリブ２ｂに接触する可能性は有るが、実施の形態１で述べたように全く問題はない。制御部９はこの状態で電源オフ信号１６をオンにして、光ディスク装置１０１全体をシャットダウンする（ステップＳ１５）。
【００７４】
このように、電源オフの時も対物レンズ４をまず光ディスク１から離間させるため、対物レンズ４が位置Ｐ１から位置Ｐ２までに至る過程でリブ２ｂと保護リング５とが衝突することはない。
【００７５】
また、トラバース機構２２は、電源オフ要求が有った後、電源オフ状態に至る前に、対物レンズ４をリブ２ｂに対向する位置に移動させるので、サーボ制御がかかっていない状態になる前に対物レンズ４をリブ２ｂの下に配置させることができ、対物レンズ４と光ディスク１とを確実に保護することができる。
【００７６】
また、対物レンズアクチュエータ部３ａは、対物レンズ４が光ディスク１を超えてリブ２ｂに対向する位置に至る前に、対物レンズ４を光ディスク１から離間する方向に移動させるので、対物レンズ４の側面とリブ２ｂの側面とが衝突するのを避けることができ、対物レンズ４を駆動する対物レンズアクチュエータ部３ａ等の損傷を確実に回避することができる。
【００７７】
さらに、トラバース機構２２は、対物レンズ４を含む光学系を光ディスク１に対し略半径方向に移動させ、光ディスク装置１０１は、少なくとも電源のオンを要求する電源オン要求信号１１と電源のオフを要求する電源オフ要求信号１２とを入力とし、電源をオフにする電源オフ信号１６と、対物レンズ４を光ディスク１から離間させる対物レンズ退避信号１７と、トラバース機構２２を制御するトラバース制御信号１８とを出力とする制御部９をさらに備えている。制御部９は、光ディスク装置１０１が電源オンの状態で電源オフ要求信号１２を受け取った時に、対物レンズ退避信号１７をオンにして対物レンズ４を光ディスク１から離間させ、その後対物レンズ４を光ディスク１の外周側一杯に移動させるトラバース制御信号１８をトラバース機構２２に出力し、対物レンズ４をリブ２ｂに対向する位置に配置させてから対物レンズ退避信号１７をオフにし、電源オフ信号１６を発生させて光ディスク装置１０１の電源をオフにする。また、制御部９は、光ディスク装置１０１が電源オフ状態で電源オン要求信号１１を受け取った時に、対物レンズ退避信号１７をオンにして対物レンズ４をリブ２ｂから離間させ、その後対物レンズ４を光ディスク１の内周向きに移動させるトラバース制御信号１８をトラバース機構２２に出力し、対物レンズ４を光ディスク１の内周向きに移動させてから対物レンズ退避信号１７をオフにする。
【００７８】
したがって、トラバース機構２２の移動前後を通じて制御部９が、光ディスク装置１０１の電源状態に応じて対物レンズ４を光ディスク１又はリブ２ｂから退避させる対物レンズ退避信号１７を制御するようになり、いかなる状態からも安全かつ自動的に対物レンズ４と光ディスク１とを保護することができる。
【００７９】
（実施の形態３）
次に、実施の形態３について説明する。上記の実施の形態１及び実施の形態２における光ディスク装置１００，１０１では、光ディスク１が内蔵されたカートリッジ２を用いているが、実施の形態３における光ディスク装置では、光ディスク１のみを用いる。図８は、本発明の実施の形態３における光ディスク装置の構成を示す図である。なお、図８に示す光ディスク装置１０２の構成は、図６に示す実施の形態２における光ディスク装置１０１の構成とほぼ同じであるので、以下の説明では、図６に示す実施の形態２における光ディスク装置１０１の構成と異なる部分のみを説明する。
【００８０】
図８に示す光ディスク装置１０２では、本体６の一部分を突起させることによってリブ２ｃを形成している。リブ２ｃは、光ディスク１の外周よりも外側に形成されている。光ディスク装置１０１の本体６に形成されたリブ２ｃが、実施の形態１及び２におけるリブ２ｂと同じ機能を果たす。トラバース機構２２は、光ディスク装置１０１が電源オフ状態である時、対物レンズ４と保護リング５とをリブ２ｃの対物レンズ４側の面と対向する位置に移動させる。なお、実施の形態３における光ディスク装置１０２の動作については、実施の形態２における光ディスク装置１０１と同じであるので説明を省略する。
【００８１】
このように、光ディスク１がカートリッジ２に内蔵されておらず、電源がオフであり、サーボ制御がかかっていない状態でも光ディスク１と対物レンズ４とが決して接触せず、強い外乱を受けた場合でも光ディスク１が傷つくことがないという、低コストで簡単かつ容易に記録データの長期信頼性が向上する優れた光ディスク装置１０２を提供できる。また、電源がオフの状態であり、かつ光ディスク１が装置内に挿入されたままであっても光ディスク１と保護リング５とが接触しないので、従来のように光ディスク１と保護リング５とが長期間接触することによって発生する光ディスク１の汚損を防止することができる。
【００８２】
なお、本願発明は、高ＮＡの光ディスク装置、例えば高密度再生専用、相変化、光磁気ディスク用装置等、いずれの装置においても有効であり、特にポータブルの光ディスク装置においてその効果が大きい。
【００８３】
また、本実施の形態では、対物レンズ４と保護リング５とが、個別に形成されているが、本発明は特にこれに限定されず、対物レンズ４と保護リング５とを一体に形成してもよい。図９は、対物レンズと保護リングとを一体に形成した場合について説明するための断面図である。図９に示すように、対物レンズ４１は、レンズ部分４１１と保護リング部分４１２とで構成される。レンズ部分４１１は、光ディスク１にレーザ光を収斂照射する。保護リング部分４１２は、レンズ部分４１１よりも光ディスク１側に突出し、レンズ部分４１１を保護する。この場合、対物レンズ４と保護リング５とを一回の成形で作成することができ、作成工数を削減することができる。また、対物レンズ４と保護リング５とが一体に形成されるので、対物レンズ４から保護リング５が脱落することを防止することができる。
【００８４】
また、トラバース機構２２の一例としてねじ送り機構を挙げたが、本発明はこの例に限定されるものではなく、ボイスコイルモータや超音波モータ等任意に構成可能である。
【００８５】
また、光ヘッド３がＰ２に位置した場合の位置センサを設け、この位置センサの信号を制御部９に入力してトラバース制御信号１８の制御に用いても良い。この場合はより確実に光ヘッド３を位置させることができる。
【００８６】
また、本実施の形態では対物レンズ４をリブ２ｂに移動させる手段としてトラバース機構２２により光ヘッド３全体を移動させる形態を示したが、例えば広義のトラバース機構として、対物レンズアクチュエータ部３ａ自体にその能力があってもよく、更に光ヘッド３の一部が分離して対物レンズ４をリブ２ｂに移動する構成も理論的に可能である。この場合は、光ヘッド３全体ではなく一部が移動するだけで済むため、よりスペースファクタの優れた装置を実現することができる。
【産業上の利用可能性】
【００８７】
本発明に係る光ディスク装置は、電源がオフであり、サーボ制御がかかっていない状態でも光ディスクと対物レンズとが決して接触せず、強い外乱を受けた場合でも光ディスクと対物レンズとの衝突を防止することができ、光ディスクにレーザ光を収斂照射する対物レンズと、対物レンズよりも光ディスク側に突出し、対物レンズを保護するために対物レンズの光学有効域外に設けた保護部材と、対物レンズおよび保護部材を移動させるトラバース機構とを少なくとも有する光ディスク装置等として有用である。
【図面の簡単な説明】
【００８８】
【図１】本発明の実施の形態１における光ディスク装置に用いるカートリッジの一例を示す図である。
【図２】図１（ａ）に示すカートリッジ２のリブ２ｂの端部から光ディスク１の中心方向を見た図である。
【図３】本発明の実施の形態１における光ディスク装置の構成を示す図である。
【図４】図３に示す光ディスク装置が適用されるポータブルのムービー装置の一例を示す図であり、図４（ａ）は、ムービー装置の側面図であり、図４（ｂ）は、ムービー装置の正面図である。
【図５】図４に示すムービー装置が傾倒されて放置された状態を示す図であり、図５（ａ）は、光ヘッドが光ディスクよりも下方にある状態を示す図であり、図５（ｂ）は、光ヘッドが光ディスクよりも上方にある状態を示す図である。
【図６】本発明の実施の形態２における光ディスク装置の構成を示す図である。
【図７】図７は、図６に示す光ディスク装置の動作について説明するためのフローチャートであり、図７（ａ）は、電源オン要求があった場合における光ディスク装置の動作について説明するためのフローチャートであり、図７（ｂ）は、電源オフ要求があった場合における光ディスク装置の動作について説明するためのフローチャートである。
【図８】本発明の実施の形態３における光ディスク装置の構成を示す図である。
【図９】対物レンズと保護リングとを一体に形成した場合について説明するための断面図である。
【図１０】従来の光ディスク及び対物レンズの配置例を示す図である。
【図１１】従来の光ディスク装置において、光ディスクと対物レンズとが接触した状態を示す図である。
【符号の説明】
【００８９】
１    光ディスク
２    カートリッジ
２ａ    開口部
２ｂ    リブ
３    光ヘッド
３ａ    対物レンズアクチュエータ部
４    対物レンズ
５    保護リング
９    制御部
２１    トラバース駆動回路
２２    トラバース機構
２２ａ    トラバースモータ
２２ｂ    送りねじ
１００  光ディスク装置
【図１】
2004327010.tif 000003
【図２】
2004327010.tif 000004
【図３】
2004327010.tif 000005
【図４】
2004327010.tif 000006
【図５】
2004327010.tif 000007
【図６】
2004327010.tif 000008
【図７】
2004327010.tif 000009
【図８】
2004327010.tif 000010
【図９】
2004327010.tif 000011
【図１０】
2004327010.tif 000012
【図１１】
2004327010.tif 000013